(57)【特許請求の範囲】
【請求項１】
端子台を照明器具に取り付ける端子台取付方法において、
前記端子台は、
略箱型の絶縁体である本体であって、前記略箱型の上面と、前記上面の長手方向に略直交する２つの側面とを有すると共に、
前記上面の長手方向に略直交する一方の前記側面に形成された第１の突起部と、
前記上面の長手方向に略直交する他方の前記側面に形成された第２の突起部と
を備え、
前記照明器具は、
前記第１の突起部を略囲うとともに前記第１の突起部を挿通可能な第１リブと、
前記第２の突起部を略囲うとともに前記第２の突起部を挿通可能な第２リブと、
前記第１リブに挿通させた前記第１の突起部の前記第１リブからの抜けと、前記第２リブに挿通させた前記第２の突起部の前記第２リブからの抜けとを抑止する抜け抑止部と
を備え、
前記端子台の前記第１の突起部を前記照明器具の前記第１リブに挿通すると共に、前記端子台の前記第２の突起部を前記照明器具の前記第２リブに挿通し、前記照明器具の前記抜け係止部によって、前記第１の突起部の前記第１リブからの抜けと、前記第２の突起部の前記第２リブからの抜けとを係止することを特徴とする端子台取付方法。
【発明の詳細な説明】
【技術分野】
【０００１】
この発明は、端子台に関する。例えば、誘導灯である照明器具に使用される端子台に関する。
【背景技術】
【０００２】
３極の端子台または３極にアース１極を加えた構成の端子台として、特開平１０−１５４４１０号公報（特許文献１）や特開２００７−８０６８３号公報（特許文献２）に開示されたものがある。このような構成の端子台は、主に誘導灯などの照明器具で使用される。
【０００３】
近年、誘導灯は小型化、薄型化を求められており、誘導灯に取り付けられる端子台についても、小型化、薄型化が求められてきた。
【０００４】
図２２は、誘導灯照明器具における枠状の器具本体（構成部品の収納ケース）を示す図である。誘導灯に対する小型化、薄型化の要請から、図２２に示す器具本体厚さＷは、短いことが要請される。このため、より短い器具本体厚さＷに対応する端子台の要請がある。
【０００５】
（１）これまで、特開平１０−１５４４１０号公報（特許文献１）の端子台は、箱状をなす誘導灯照明器具で使用したとき、図２３のように、誘導灯本体の開口面側を端子台の入力端子と送り端子用の電線挿入口面に配置して取り付けるようになる。このような取り付け方では、図２３に示すように、入力及び送り電線が、端子台上部（照明器具の厚さＷ方向）に電線（曲げ部分）が出るため、その分、照明器具内に空間を設ける必要があった。すなわち、その分、器具本体厚さＷを厚くする必要があった、
【０００６】
（２）上記（１）の方法を回避する方法として、図２４のように、端子台の入力及び送り用の電線挿入口のある面（赤、白、黒の表示がある面）を、誘導灯の本体の開口面側と垂直方向（図２２のＺ方向）になるように配置して取り付ける方法がある。
（２．１）このような取付けを行った場合、特開平１０−１５４４１０号公報（特許文献１）のような従来の端子台は、図２４に示すように、入力端子と送り端子用の電線挿入口を平行にそれぞれ３個（極）配置している。このため、３個（極）分の厚さを要する（アースを要する場合は４個（極）分となる）。
（２．２）また、図２５に示すように、図２４の状態から端子台をＷ方向に回転させて取り付けた場合（端子台を上記（２．１）と直角面側（器具内配線用の電線挿入口を誘導灯の開口面側）になるように取り付けた場合）、器具内端子の電線（曲げ部）を端子台の上部に出る分、空間を設ける必要がある。このため、器具本体厚さＷをその分厚くしなければならなくなる。
（２．３）また、図２６のように、図２５の端子台の配置において、器具内端子穴を電源穴と同一面（同一方向）に設けている端子台がある。
（２．４）更に上記（２．３）（図２６）に対して、器具内配線用端子用の電線挿入口が、入力及び送り端子用の電線挿入口側面と逆面に配置された端子台がある。
（２．５）更に上記（２．３）（図２６）に対して、器具内配線用端子用の電線挿入口が、入力及び送り端子用の電線挿入口側面に対する左右面に配置された端子台がある。
【０００７】
（３）上記（２）の方法以外で、上記（１）の方法を回避する方法としては３極の端子台または３極にアース１極を加えた構成の端子台を更に薄型化した特開２００７−８０６８３号公報（特許文献２）がある。この特許文献３で開示されている端子台は、入力及び送り端子用の電線挿入口を傾斜させ、電線差し方向を端子台の斜め方向から、挿入できるようにしている。
【０００８】
前記（１）で示した特開平１０−１５４４１０号公報（特許文献１）の端子台（図２３）は、入力及び送り端子用の電線挿入口を誘導灯本体の開口面側となるように配置した場合端子台の厚さ分以外にそれぞれ端子台に接続した電線の逃がし分（曲げ部分）だけのスペースがあり、照明器具の薄型化を阻害される。すなわち、端子穴が上側になる場合は電線の逃がし部分（曲げ部分）だけのスペースが必ず必要である為照明器具を薄型化することが困難であり、また電線の曲げ方によっては、照明器具のカバーを無理に本体にはめ込み、破損させてしまう恐れがあった。
【０００９】
また、前記（２）において、端子台の入力端子及び送り端子用の電線挿入口のある面（赤、白、黒の表示がある面）を誘導灯の本体の開口面側と垂直方向（図２２のＷ方向）になるように配置して取り付ける方法を示したが以下の課題がある。
【００１０】
前記（２．１）（図２４）の場合は、端子装置（端子穴）を入力端子穴と送り端子穴の並び方向と直角な方向に３極並ぶように配置している分の端子台の幅は、極数が増えるごとに厚さが増してしまう。すなわち、３極の端子台であれば３極分の厚さが必要となり、またアース端子を加えた４極の端子台であれば、４極分の端子台幅が必要である。従って、端子台は極数分の厚さが必要となり、誘導灯の照明器具（器具本体厚さＷ）は３極分以上となり薄型化することが困難である。
【００１１】
前記（２．２）（図２５）の場合は、器具内配線端子用の電線挿入口が誘導灯本体の開口面側になってしまうため、前記（１）と同様な課題がある。すなわち、器具内配線の曲げのぶん、器具本体厚さＷが厚くなってしまう。
【００１２】
前記（２．３）（図２６）の場合は、入力及び送り端子用の電線挿入口と器具内配線端子用の電線挿入口とが同一面にあるため誤配線が生じる恐れがある。
【００１３】
前記（２．４）の場合は、器具内配線用端子用の電線挿入口が、入力及び送り端子用の電線挿入口側面と逆面に配置しているため、誘導灯本体の内枠面に端子台の入力及び送り端子用の電線挿入口側面と逆面が接することができず、端子台は誘導灯本体の中央よりに配置するようになり小型化することが困難であった。また、前記（２．５）の場合は、３極もしくは４極の端子装置のうち、内側の端子装置は左右にある外側の端子装置より左右面までの距離があるため、端子装置の歩留まりが悪いという課題がある。
【００１４】
また、前記（３）の端子台は、入力及び送り電線差し方向を端子台の斜め方向から挿入するようにしてあるので電線の逃がし部（曲げ部分）のスペースは緩和されるが、照明器具の電源線引き出し穴位置によっては、端子台高さより被服分が出っ張ってしまう。従って、前記（１）と同様な課題がある。更に、前記（３）の端子台は電線挿入穴が斜め方向であるため、金型構造も複雑になりがちであり、コストＵｐにつながる。
【先行技術文献】
【特許文献】
【００１５】
【特許文献１】特開平１０−１５４４１０
【特許文献２】特開２００７−８０６８３
【発明の概要】
【発明が解決しようとする課題】
【００１６】
この発明は、誘導灯などに取付する端子台であって、器具本体厚さＷの薄型化の可能な端子台の提供を目的とする。
また、前記の端子台の照明器具への取り付けについて、端子台取付方法の提供を目的とする。
【課題を解決するための手段】
【００１７】
この発明の端子台取付方法は、端子台を照明器具に取り付ける端子台取付方法において、
前記端子台は、
略箱型の絶縁体である本体であって、前記略箱型の上面と、前記上面の長手方向に略直交する２つの側面とを有すると共に、
前記上面の長手方向に略直交する一方の前記側面に形成された第１の突起部と、
前記上面の長手方向に略直交する他方の前記側面に形成された第２の突起部と
を備え、
前記照明器具は、
前記第１の突起部を略囲うとともに前記第１の突起部を挿通可能な第１リブと、
前記第２の突起部を略囲うとともに前記第２の突起部を挿通可能な第２リブと、
前記第１リブに挿通させた前記第１の突起部の前記第１リブからの抜けと、前記第２リブに挿通させた前記第２の突起部の前記第２リブからの抜けとを抑止する抜け抑止部と
を備え、
前記端子台の前記第１の突起部を前記照明器具の前記第１リブに挿通すると共に、前記端子台の前記第２の突起部を前記照明器具の前記第２リブに挿通し、前記照明器具の前記抜け係止部によって、前記第１の突起部の前記第１リブからの抜けと、前記第２の突起部の前記第２リブからの抜けとを係止することを特徴とする。
【発明の効果】
【００１８】
この発明により、小型化、薄型化の照明器具を可能とする端子台を提供することができる。また、この発明により、前記の端子台の照明器具への端子台取付方法を提供できる。
【図面の簡単な説明】
【００１９】
【図１】実施の形態１の端子台１００の概要を示す斜視図。
【図２】実施の形態１の端子台１００の具体的な外観を示す斜視図。
【図３】実施の形態１の端子装置の構成を示す斜視図。
【図４】実施の形態１の端子台１００の正面図。
【図５】実施の形態１の端子台１００の左側面図。
【図６】実施の形態１の端子台１００の右側面図。
【図７】図４のＡ−Ａ断面図。
【図８】図４のＣ−Ｃ断面図。
【図９】図４のＤ−Ｄ断面図。
【図１０】図４のＥ−Ｅ断面図。
【図１１】実施の形態１の端子台１００の本体１と台２を示す図。
【図１２】実施の形態１の別の端子装置の例を示す斜視図。
【図１３】実施の形態２の端子台１００の概要を示す斜視図。
【図１４】実施の形態２の端子台１００の正面図。
【図１５】図１４のＣ−Ｃ断面図。
【図１６】図１４のＤ−Ｄ断面図。
【図１７】実施の形態２の端子台１００の本体１と台２を示す図。
【図１８】実施の形態３の照明器具６００の斜視図。
【図１９】実施の形態３の照明器具６００の分解斜視図。
【図２０】実施の形態３の端子台１００の照明器具６００への取付状態を示す図。
【図２１】実施の形態３の端子台１００の照明器具６００への取付方法を示す図。
【図２２】従来技術を示す図。
【図２３】従来技術を示す図。
【図２４】従来技術を示す図。
【図２５】従来技術を示す図。
【図２６】従来技術を示す図。
【発明を実施するための形態】
【００２０】
実施の形態１．
図１〜図１２を参照して実施の形態１の端子台を説明する。実施の形態１は、誘導灯などの箱状をなす照明器具に搭載する３極ないし４極（３極＋アース）の端子台であって、照明器具内部に配置したときに、その端子台の端子穴は上部（図２３の入力／送り電線が存在する面）に位置しない端子台である。すなわち、実施の形態１の端子台は、電線の逃げ部分の空間を設けず薄型化できるように、端子穴の配置を改良したものであり、図２４のように極数分の厚さを必要としない、すなわち従来の３極分から２極分の厚さを可能にした端子台である。しかも、誘導灯本体の内枠面に沿って端子台を配置でき、すなわち器具面積を小さくでき誘導灯を小型化できる端子台である。以下に図を参照して実施の形態１の端子台を説明する。
【００２１】
図１は、実施の形態１に係る端子台１００を説明するための端子台１００の概略図である。図１（ａ）は端子台１００の斜視図であり、（ｂ）は（ａ）のＸ方向矢視である。端子台１００には、入力用の入力用電線１１、２１、３１の端部と、送り用の送り用電線１２、２２、３２の端部と、器具内配線である器具内配線１３、２３、３３の端部とが挿入される。端子台１００には、これらの電線の端部が挿入される挿入穴が形成されている。以下では入力用電線２１、送り用電線２２、器具内配線２３を参照して説明するため、図１（ａ）ではこれらは太い実線で示し、他の電線は２点鎖線で示した。
【００２２】
端子台１００は、本体１と、３つの端子装置と、本体１と組み合わさって３つの端子装置を収納する台（後述する図１１（ａ）等に示している）とを備えている。端子台１００は、第１端子装置４０１、第２端子装置４０２、第３端子装置４０３の３つを備えている。図１（ａ）では、見易さのため、第２端子装置４０２のみをした。図１（ｂ）では第３端子装置４０３を示した。以下では、第１端子装置４０１に接続する電線の挿入穴には「第１」を付し、第２端子装置４０２に接続する電線の挿入穴には「第２」を付し、第３端子装置４０３に接続する電線の挿入穴には「第３」を付して呼ぶこととする。
【００２３】
本体１は、略箱型の絶縁体である。後述する台２も、絶縁体である。第１端子装置４０１、第２端子装置４０２、第３端子装置４０３は、本体１に互いに電気的に絶縁されて収納されるとともに、それぞれが自己に接続する複数の電線を電気的に接続する導体である。
【００２４】
図１（ａ）において、第２端子装置４０２を例に説明する。第２端子装置４０２は、自己に接続する複数の電線を電気的に接続する。即ち、第２端子装置４０２は、その端部が端子台１００に挿入される入力用電線２１と、送り用電線２２と、器具内配線２３とを互いに電気的に接続する。第１端子装置４０１及び第３端子装置４０３も第２端子装置４０２と同様である。第１端子装置４０１は、入力用電線１１と、送り用電線１２と、器具内配線１３とを互いに電気的に接続し、第３端子装置４０３は、入力用電線３１と、送り用電線３２と、器具内配線３３とを互いに電気的に接続する。
【００２５】
（上面１０２の電線挿入穴）
図１（ａ）に示すように、本体１には、略箱型の上面１０２に、複数の電線挿入穴が形成されている。即ち、本体１の上面１０２には、第１端子装置４０１に接続する入力用電線１１、送り用電線１２が挿入される第１の入力用電線挿入穴１−１ａ、第１の送り用電線挿入穴１−１ｂと、第２端子装置４０２に接続する入力用電線２１、送り用電線２２が挿入される第２の入力用電線挿入穴１−２ａ、第２の送り用電線挿入穴１−２ｂと、第３端子装置４０３に接続する入力用電線３１、送り用電線３２が挿入される第３の入力用電線挿入穴１−３ａ，第３の送り用電線挿入穴１−３ｂとが形成されている。それぞれの電線の端部は、上面１０２に形成されたそれぞれの挿入穴を貫通して、対応する端子装置に接続する。
【００２６】
（側面の電線挿入穴）
図１（ａ）、（ｂ）に示すように、上面１０２の長手方向に略直交する２つの側面である第１の側面１１１、第２の側面１１２には、電線の端部が挿入される挿入穴が形成されている。すなわち、第１の側面１１１には、第１の器具内配線挿入穴１−５、第２の器具内配線挿入穴１−６が形成されている。また、第２の側面１１２には、第３の器具内配線挿入穴１−７が形成されている。
【００２７】
（上面１０２の挿入穴の位置）
第１の入力用電線挿入穴１−１ａ、及び第１の送り用電線挿入穴１−１ｂは、上面１０２の長手方向１０３に連なって（長手方向１０３に前後に）、形成されている。第２の入力用電線挿入穴１−２ａ、及び第２の送り用電線挿入穴１−２ｂは、上面１０２の長手方向１０３に連なるとともに第１の入力用電線挿入穴１−１ａ、第１の送り用電線挿入穴１−１ｂと並設されている。第３の入力用電線挿入穴１−３ａ、第３の送り用電線挿入穴１−３ｂは、上面１０２の長手方向１０３に連なるとともに、第１の入力用電線挿入穴１−１ａ、第１の送り用電線挿入穴１−１ｂの連なる方向に移動させた位置に形成されている。
【００２８】
（側面の挿入穴の位置）
第１の器具内配線挿入穴１−５は、上面１０２の長手方向１０３に略直交する２つの側面のうち、第３端子装置に対応する第３の入力用電線挿入穴１−３ａ、第３の送り用電線挿入穴１−３ｂの移動方向と反対方向に存在するほうの側面である第１の側面１１１に形成されている。第２の器具内配線挿入穴１−６は、第１の器具内配線挿入穴１−５が形成された第１の側面１１１に形成されている。第３の器具内配線挿入穴１−７は、上面１０２の長手方向に略直交する２つの側面のうち、第３の入力用電線挿入穴１−３ａ、第３の送り用電線挿入穴１−３ｂの移動方向に存在するほうの側面である第２の側面１１２に形成されている。
【００２９】
図１（ａ）に示すように、長手方向１０３に方向にみて、「第１の送り用電線挿入穴１−１ｂ、第１の入力用電線挿入穴１−１ａ、第３の送り用電線挿入穴１−３ｂ、第３の入力用電線挿入穴１−３ａ」と、「第２の入力用電線挿入穴１−２ａ、第２の送り用電線挿入穴１−２ｂ」とが２列に形成されているので、図１（ｂ）に示すように、端子幅Ｂを短くすることができる。このため、端子台１００を用いることにより、図２２に示した器具本体厚さＷを短くすることができる。
【００３０】
以下、図２〜図１２を用いて、端子台１００の具体的な形状及び構造を説明する。
【００３１】
図２は、端子台１００の具体的な外観を示す図である。図２（ａ）は端子台１００の斜視図であり、図２（ｂ）はＹ矢視である。上面１０２には、６つの電線挿入穴が形成されている。
また、第１の側面１１１には、２つの電線挿入穴が形成されている。また、第２の側面１１２には、１つの電線挿入穴が形成されている。また、図２の端子台１００の本体１には、突起部１−８ａ，１−８ｂが形成されている。この突起部１−８ａ，１−８ｂは、実施の形態３で後述するように、照明器具本体への係合に用いられる。また、図２には、解除ボタン３が示されている。解除ボタン３は、これを押すことで、上面１０２の各電線挿入穴に挿入されている電線（電線の端部）を、それぞれの端子装置から取り外すことができる。それぞれの解除ボタンは、それぞれの解除ボタン３の両脇の電線挿入穴に挿入された電線の端部を解除する。
【００３２】
（端子装置）
図３は、端子装置（例えば、端子装置４０２）を示す斜視図である。第１端子装置４０１、第３端子装置４０３も、同じである。図３（ａ）は、各部品が一体となっている状態を示す組立図である。
図３（ｂ）は、各構成部品に分けた分解斜視図である。図３（ｂ）に示すように、端子装置は、同じ形状の２つの「入力／送り用押さえバネ４−２」と、導体の板を加工した「端子４」とを備える。「入力／送り用押さえバネ４−２」は、入力用電線あるいは送り用電線の端部を押さえる「板バネ部４−２１、板バネ部４−２２」を備える。端子４は、入力用電線あるいは送り用電線と接続する「入力／送り端子板４−１」、器具内配線と接続する「器具内配線用の端子板４−３」、器具内配線の端部を抑える「器具内配線用の押さえバネ４−４」を備える。これらの機能は後述する。
【００３３】
（正面図）
図４は、端子台１００の入力用電線、送り用電線の電線挿入穴の面（上面１０２の法線方向）から見た正面図である。図４には、上面１０２に形成された６つの電線挿入穴が現れている。また図４に示すように、端子台１００は正面図でみると、左右に突起部１−８ａ，１−８ｂを備えている。
【００３４】
（側面図）
図５は、図４の正面図に対する左側面図である。図５には、第３の器具内配線挿入穴１−７が現れているとともに、突起部１−８ｂが現れている。図６は、図４の右側面図である。第１の器具内配線挿入穴１−５、第２の器具内配線挿入穴１−６があらわれているとともに、突起部１−８ａが現れている。
【００３５】
（断面図）
次に図７〜図１０の断面図を参照して図４における切断面の説明する。図７〜図１０は、順に、図４のＡ−Ａ断面図、Ｃ−Ｃ断面図、Ｄ−Ｄ断面図、Ｅ−Ｅ断面図である。
【００３６】
（Ａ−Ａ断面図）
図７のＡ−Ａ断面図には、第３端子装置４０３、第１端子装置４０１、が現れている。また、第３の入力用電線挿入穴１−３ａ、第３の送り用電線挿入穴１−３ｂ、第１の器具内配線挿入穴１−５が現れている。例えば、第３の入力用電線挿入穴１−３ａに挿入された入力用電線３１の端部は、入力／送り用押さえバネ４−２（左側）の板バネ部４−２１及び板バネ部４−２２のバネ作用により、板バネ部４−２１及び板バネ部４−２２の先端部により、入力／送り端子板４−１（左側）に押し付けられる。また、第３の送り用電線挿入穴１−３ｂに挿入された送り用電線３２の端部は、「入力／送り用押さえバネ４−２」（右側）の板バネ部４−２１及び板バネ部４−２２のバネ作用により、板バネ部４−２１及び板バネ部４−２２の先端部により、入力／送り端子板４−１（右側）に押し付けられる。これにより、入力用電線３１，送り用電線３２は第３端子装置４０３に電気的に接続する。この構成は、第１端子装置４０１、第２端子装置第２端子装置４０２も同じである。また、第１の器具内配線挿入穴１−５に挿入された器具内配線１３の端部は、「器具内配線用の押さえバネ４−４」のバネ作用により、その先端部により「器具内配線用の端子板４−３」（右側）に押し付けられる。これにより、器具内配線１３が第１端子装置４０１に電気的に接続する。この構成は、第２端子装置４０２、第３端子装置４０３も同じである。
【００３７】
（Ｃ−Ｃ断面）
図８のＣ−Ｃ断面には、第２端子装置４０２が現れている。また、第２の入力用電線挿入穴１−２ａ，第２の送り用電線挿入穴１−２ｂが現れている。これらの挿入穴に挿入される電線の第２端子装置４０２への接続は、図７で説明した通りである。
【００３８】
（Ｄ−Ｄ断面）
図９のＤ−Ｄ断面には、第２端子装置４０２が現れている。また、第２の器具内配線挿入穴１−６が現れている。第２の器具内配線挿入穴１−６へ挿入される電線の第２端子装置４０２への接続は、図７で説明した通りである。
【００３９】
（Ｅ−Ｅ断面）
図１０のＥ−Ｅ断面には、第１端子装置４０１、第２端子装置４０２が現れている。また、第１の送り用電線挿入穴１−１ｂ、第２の送り用電線挿入穴１−２ｂ、第１の器具内配線挿入穴１−５、第２の器具内配線挿入穴１−６が現れている。第２の器具内配線挿入穴１−６へ挿入される電線の第２端子装置４０２への接続、及び第１の器具内配線挿入穴１−５へ挿入される電線の第１端子装置４０１への接続は、図７で説明した通りである。
【００４０】
図１１は、本体１、台２を示す図である。台２には端子装置が収納されている状態を示している。
【００４１】
図１２は、端子装置の別の例を示す図である。図３に示した端子装置は、２つの入力／送り用押さえバネ４−２と、端子４とから構成されていた。図１２の端子装置は、１枚の板を加工することにより、一つの部品で図３の端子装置の機能を実現する。
【００４２】
以上の実施の形態１の端子台１００では、例えば第１端子装置については、第１の入力用電線挿入穴１−１ａに入力用電線を挿入し、第１の送り用電線挿入穴１−１ｂに送り用電線を挿入したが、どちらの挿入穴にどちらの電線を挿入しても構わない。
【００４３】
また、以上の実施の形態１の端子台１００では、それぞれの端子装置に対応するとともに、上面１０２に連なって形成される電線挿入穴は２つの場合を説明したが、２つに限るものではない。対応する端子装置に電気的に接続するのであれば、３つ以上連なっても構わない。また、端子装置に対応するとともに、第１の側面１１１に形成される電線挿入穴は、一つの場合を説明したが、対応する端子装置に電気的に接続するのであれば複数設けても構わない。これは第２の側面１１２に形成される電線挿入穴についても同じである。
【００４４】
実施の形態２．
図１３〜図１７を用いて実施の形態２を説明する。実施の形態２は、実施の形態１の端子台１００に、さらに、アース端子装置（第４端子部）を組み込み、４極にしたものである。
【００４５】
図１３は、実施の形態２に係る端子台１００を説明するための概略図である。図１３は、実施の形態１の図１に対応する。図１３（ａ）は端子台１００の斜視図であり、（ｂ）は（ａ）のＹ方向矢視である。実施の形態２の端子台１００は、実施の形態１の端子台１００に対して、さらに、アース端子装置４０４（第４端子装置）と、接地片５−３とを備える。また、本体の上面１０２には、アース端子装置４０４に接続するアース入力用電線４１、アース送り用電線４２を接続するためのアース入力用電線挿入穴１−４ａ，アース送り用電線挿入穴１−４ｂとが形成されている。
【００４６】
（挿入穴の配置）
アース端子装置４０４に対応する２つの電線挿入穴は、上面１０２の長手方向１０３に連なるとともに第２端子装置４０２に対応する２つの電線挿入穴である第２の入力用電線挿入穴１−２ａ、第２の送り用電線挿入穴１−２ｂの連なる方向、かつ、第３端子装置４０３に対応する第３の入力用電線挿入穴１−３ａ、第３の送り用電線挿入穴１−３ｂが形成された側に移動させた位置に形成されている。
【００４７】
アース端子装置４０４は、第１端子装置４０１〜第３端子装置４０３のそれぞれと電気的に絶縁されて本体１に収納され、かつ、自己に接続する複数の電線を電気的に接続する。また、アース端子装置４０４は、アースをとる接地片５−３と電気的に接続している。従って、アース入力用電線４１と、アース送り用電線４２と、接地片５−３とは、互いに電気的に接続している。アース端子装置４０４と、アース入力用電線４１及びアース送り用電線４２との接続は、実施の形態１で説明した第２端子装置４０２等の場合と同じである。
【００４８】
以下、図１４〜図１７を用いて、実施の形態２の端子台１００の具体的な形状及び構造を説明する。
【００４９】
（正面図）
図１４は、端子台１００の入力及び送り用の電線の電線挿入穴の面（上面１０２）から見た正面図である。実施の形態２の端子台１００は、図１４に示すように、第１のアース入力用電線挿入穴１−４ａと、アース送り用電線挿入穴１−４ｂとが形成されている。
【００５０】
（断面図）
図１５、図１６を参照して断面を説明する。図１５は、図１４のＣ−Ｃ断面図である。図１６は、図１４のＤ−Ｄ断面図である。
【００５１】
（Ｃ−Ｃ断面図）
図１５のＣ−Ｃ断面には、第２端子装置４０２、アース端子装置４０４が現れている。また、第２の入力用電線挿入穴１−２ａ，第２の送り用電線挿入穴１−２ｂ、アース入力用電線挿入穴１−４ａ，アース送り用電線挿入穴１−４ｂが現れている。これらの挿入穴に挿入される電線の端子装置への接続は、図７で説明した通りである。
【００５２】
（Ｄ−Ｄ断面）
図１６のＤ−Ｄ断面には、第２端子装置４０２及び接地片５−３が現れている。また、第１の器具内配線挿入穴１−５が現れている。ここで、Ｄ−Ｄ断面の場合、アース端子装置４０４については、断面が現れていないが、その理由は、図３（ｂ）に示す端子４において、器具内配線用の端子板４−３，器具内配線用の押さえバネ４−４が形成されていないため断面として現れないからである。アース端子装置４０４は、第２の側面１１２に電線を挿入する挿入穴を持たないので、器具内配線用の端子板４−３，器具内配線用の押さえバネ４−４を形成する必要がない。
【００５３】
図１７は、本体１、台２を示す図である。台２には端子装置が収納されている状態である。アース端子装置４０４と接地片５−３とが機械的、電気的に接続（破線で囲む部分）している。
【００５４】
実施の形態３．
次に図１８〜図２１を参照して、実施の形態３を説明する。実施の形態３は、実施の形態１あるいは実施の形態２の端子台１００を備えた照明器具６００に関する実施形態である。照明器具６００は、例えば誘導灯である。
【００５５】
図１８は、照明器具６００の外観を示す斜視図である。照明器具６００は、照明器具本体６と、表示板６−８と、ランプホルダーユニット６−７とを備える。図１９は、照明器具６００の分解斜視図である。
【００５６】
図２０は、端子台１００が照明器具本体６の内枠内面６−４に取り付けられた場合を示す図である。電線挿入穴の配置は、４つの電線挿入穴からなる第１列と、２つの挿入穴からなる第２列とが並列するように構成されていること、及び側面１０１ａ，側面１０１ａに対応する反対側の側面１０１ｂ（側面１０１ａと平行な面）には電線挿入穴が存在しないことにより、器具本体厚さＷの薄い照明器具を実現することができる。
【００５７】
図２１は、内枠内面６−４に対して端子台１００を取り付ける取付方法を説明する図である。また、図２１、及び図１９、図２０を参照して説明する。端子台１００の本体１は、上面１０２の長手方向１０３に略直交する一方の側面１１１に形成された突起部１−８ａ（第１の突起部）と、上面１０２の長手方向１０３に略直交する他方の側面１１２に形成された突起部１−８ｂ（第２の突起部）とを備える。照明器具６００は、突起部１−８ａを略囲うとともにこの突起部１−８ａを挿通可能な取付用リブ６−３ａ（第１リブ）と、突起部１−８ｂを略囲うとともにこの突起部１−８ｂを挿通可能な取付用リブ６−３ｂ（第２リブ）と、取付用リブ６−３ａに挿通させた突起部１−８ａの取付用リブ６−３ａからの抜けと、取付用リブ６−３ｂに挿通させた突起部１−８ｂの取付用リブ６−３ｂからの抜けとを抑止する係止部６−２（抜け抑止部）とを備えている。即ち、図１９に示すように照明器具６００は、略箱状であって、４方ある内枠面６−１のいずれかの一面に対して、実施の形態１の端子台１００もしくは実施の形態２の端子台１００の下面（上面１０２に対応する下）が向き合うように取り付けられている。照明器具は、端子台１００の突起部１−８ａ，１−８ｂのそれぞれに対応して、これらの突起部１−８ａ，１−８ｂを略囲うとともに、これらを挿通可能な取付用リブ６−３ａ，６−３ｂを備える。照明器具６００には、さらに、端子台１００の突起部１−８ａ，１−８ｂをそれぞれの取付用リブに挿通した後に、突起部１−８ａ，１−８ｂがそれぞれの取付用リブから抜けるのを防止する係止部６−２が照明器具本体６の内枠面６−１に設けられている。
【００５８】
以上のように、実施の形態１、実施の形態２の端子台は、以下の特徴を有する。本体１が、複数の電線挿入口（電線挿入穴ともいう）をもち、開口面のある略箱型の形状である。また、台２は、本体１の略箱型の開口面を略閉塞する絶縁体である。端子台は、挿入口から挿入された電線が接続される端子をもつ端子装置を具備する。端子装置は、入力電線と送り電線を同一方向から接続でき、また、入力電線及び送り電線と略垂直方向のうち少なくとも一方から電線を接続できる。端子台１００は、端子装置を少なくとも３個（３極）具備している（第１端子装置、第２端子装置、第３端子装置）。端子台１００は、入力及び送り用電線の挿入口面である上面１０２に対し短手方向の略直角面と、入力端子及び送り用の電線挿入口の面に対し逆面とは、電線挿入口を持たない。第１端子装置及び第２端子装置の器具内配線用の電線挿入口は、端子台の長手方向側面（第１側面１１１）に形成される。第３端子装置の器具内配線用の電線挿入口は、第１側面との逆面（第２側面１１２）に形成される。第１端子装置の入力及び送り用の電線挿入口は、端子台の一面の長手方向に連なって配置される。第２端子装置の入力及び送り用の電線挿入口は、端子台の一面の長手方向に連なって配置されるとともに、第１端子装置の入力及び送り用の電線挿入口から短手軸方向に略平行移動させた位置に配置される。第３端子装置の入力及び送り用の電線挿入口は、端子台の一面の長手方向に連なって配置されるとともに、第１端子装置の入力及び送り用の電線挿入口から長手軸方向に略平行移動させた位置に配置される。
【００５９】
以上のように、実施の形態２の端子台は、以下の特徴を有する。アース入力及びアース送り用の電線挿入口は、端子台の一面の長手方向に連なって配置されるとともに、第２端子装置の入力及び送り用の電線挿入口から長手軸方向に略平行移動させ、第３端子装置の入力端子及び送り端子用の電線挿入口から短手軸方向に略平行移動させた位置に配置される。そして、アース端子装置は、端子台の一面から接地可能な接地片に接続している。
【００６０】
以上のように、実施の形態３の照明装置は、以下の特徴を有する。照明器具６００は、略箱状の照明器具であって、４方ある内枠面のいずれかの一面に対して、実施の形態１の端子台１００もしくは実施の形態２の端子台１００の下面（上面１０２に対応する下）が向き合うように取り付けられている。
【００６１】
以上のように、実施の形態３の照明装置は、以下の特徴を有する。端子台には、長手方向の両側面に突起部が設けられている。照明器具には、端子台のそれぞれの突起部に対応して、突起部を略囲うとともに突起部を挿通可能なリブが設けられている。照明器具には、さらに、端子台の突起部をそれぞれのリブに挿通した後に突起部がリブから抜けるのを防止する係止部が、照明器具本体の内枠面に設けられている。
【００６２】
以上の実施の形態では、以下の特徴を有する端子台、及び、照明器具について一例を説明した。
【００６３】
略箱型の絶縁体である本体と、
前記本体に互いに電気的に絶縁されて収納されるとともに、それぞれが自己に接続する複数の電線を互いに電気的に接続する第１端子部と、第２端子部と、第３端子部と
を備え、
前記本体は、前記略箱型の上面に、
前記第１端子部に接続する電線の端部が挿入される少なくとも２つの電線挿入穴と、
前記第２端子部に接続する電線の端部が挿入される少なくとも２つの電線挿入穴と、
前記第３端子部に接続する電線の端部が挿入される少なくとも２つの電線挿入穴と
を有するとともに、
前記上面の長手方向に略直交する２つの側面に、
前記第１端子部に接続する電線の端部が挿入される少なくとも１つの電線挿入穴と、
前記第２端子部に接続する電線の端部が挿入される少なくとも１つの電線挿入穴と、
前記第３端子部に接続する電線の端部が挿入される少なくとも１つの電線挿入穴と
を有し、
前記第１端子部に対応する前記少なくとも２つの電線挿入穴は、
前記上面の長手方向に連なって形成され、
前記第２端子部に対応する前記少なくとも２つの電線挿入穴は、
前記上面の長手方向に連なるとともに前記第１端子部に対応する前記少なくとも２つの電線挿入穴と並設され、
前記第３端子部に対応する前記少なくとも２つの電線挿入穴は、
前記上面の長手方向に連なるとともに前記第１端子部に対応する前記少なくとも２つの電線挿入穴の連なる方向のいずれかの方向に移動させた位置に形成され、
前記第１端子部に対応する前記少なくとも１つの電線挿入穴は、
前記上面の長手方向に略直交する２つの側面のうち、前記第３端子部に対応する前記少なくとも２つの電線挿入穴の移動方向と反対方向に存在するほうの側面に形成され、
前記第２端子部に対応する前記少なくとも１つの電線挿入穴は、
前記第１端子部に対応する前記少なくとも１つの電線挿入穴が形成された前記側面に形成され、
前記第３端子部に対応する前記少なくとも１つの電線挿入穴は、
前記上面の長手方向に略直交する２つの側面のうち、前記第３端子部に対応する前記少なくとも２つの電線挿入穴の移動方向に存在するほうの前記側面に形成されたことを特徴とする端子台。
【００６４】
前記端子台は、さらに、
アースをとる接地片と、
前記接地片に電気的に接続するとともに、前記第１端子部、前記第２端子部、前記第３端子部のそれぞれと電気的に絶縁されて前記本体に収納され、かつ、自己に接続する複数の電線を電気的に接続する第４端子部と
を備え、
前記本体は、前記略箱型の上面に、
前記第４端子部に接続する電線の端部が挿入される少なくとも２つの電線挿入穴を有し、
前記第４端子部に対応する前記少なくとも２つの電線挿入穴は、
前記上面の長手方向に連なるとともに前記第２端子部に対応する前記少なくとも２つの電線挿入穴の連なる方向、かつ、前記第３端子部に対応する前記少なくとも２つの電線挿入穴が形成された側に移動させた位置に形成されたことを特徴とする端子台。
【００６５】
前記第１端子部に対応する前記少なくとも２つの電線挿入穴の２つは、
入力用電線と送り用電線との端部が挿入され、
前記第１端子部に対応する前記少なくとも１つの電線挿入穴は、
器具内配線用の電線の端部が挿入され、
前記第２端子部に対応する前記少なくとも２つの電線挿入穴の２つは、
入力用電線と送り用電線との端部が挿入され、
前記第２端子部に対応する前記少なくとも１つの電線挿入穴は、
器具内配線用の電線の端部が挿入され、
前記第３端子部に対応する前記少なくとも２つの電線挿入穴の２つは、
入力用電線と送り用電線との端部が挿入され、
前記第３端子部に対応する前記少なくとも１つの電線挿入穴は、
器具内配線用の電線の端部が挿入されることを特徴とする端子台。
【００６６】
前記端子台を備えたこと特徴とする照明器具。
【００６７】
前記端子台の前記本体は、
前記上面の長手方向に略直交する一方の前記側面に形成された第１の突起部と、
前記上面の長手方向に略直交する他方の前記側面に形成された第２の突起部と
を備え、
前記照明器具は、さらに、
前記第１の突起部を略囲うとともに前記第１の突起部を挿通可能な第１リブと、
前記第２の突起部を略囲うとともに前記第２の突起部を挿通可能な第２リブと、
前記第１リブに挿通させた前記第１の突起部の前記第１リブからの抜けと、前記第２リブに挿通させた前記第２の突起部の前記第２リブからの抜けとを抑止する抜け抑止部と
を備えたことを特徴とする照明器具。
【００６８】
前記照明器具は、
誘導灯であることを特徴とする照明器具。
【００６９】
上記した特徴を有することにより、小型化、薄型化の照明器具を可能とする端子台を提供することができる。
【００７０】
以上の実施の形態では、以下の特徴を有する端子台取付方法について一例を説明した。
【００７１】
端子台を照明器具に取り付ける端子台取付方法であって、
前記端子台は、
略箱型の絶縁体である本体と、
前記本体に互いに電気的に絶縁されて収納されるとともに、それぞれが自己に接続する複数の電線を互いに電気的に接続する第１端子部と、第２端子部と、第３端子部と
を備え、
前記本体は、前記略箱型の上面に、
前記第１端子部に接続する電線の端部が挿入される少なくとも２つの電線挿入穴と、
前記第２端子部に接続する電線の端部が挿入される少なくとも２つの電線挿入穴と、
前記第３端子部に接続する電線の端部が挿入される少なくとも２つの電線挿入穴と
を有するとともに、
前記上面の長手方向に略直交する２つの側面に、
前記第１端子部に接続する電線の端部が挿入される少なくとも１つの電線挿入穴と、
前記第２端子部に接続する電線の端部が挿入される少なくとも１つの電線挿入穴と、
前記第３端子部に接続する電線の端部が挿入される少なくとも１つの電線挿入穴と
を有し、
前記第１端子部に対応する前記少なくとも２つの電線挿入穴は、
前記上面の長手方向に連なって形成され、
前記第２端子部に対応する前記少なくとも２つの電線挿入穴は、
前記上面の長手方向に連なるとともに前記第１端子部に対応する前記少なくとも２つの電線挿入穴と並設され、
前記第３端子部に対応する前記少なくとも２つの電線挿入穴は、
前記上面の長手方向に連なるとともに前記第１端子部に対応する前記少なくとも２つの電線挿入穴の連なる方向のいずれかの方向に移動させた位置に形成され、
前記第１端子部に対応する前記少なくとも１つの電線挿入穴は、
前記上面の長手方向に略直交する２つの側面のうち、前記第３端子部に対応する前記少なくとも２つの電線挿入穴の移動方向と反対方向に存在するほうの側面に形成され、
前記第２端子部に対応する前記少なくとも１つの電線挿入穴は、
前記第１端子部に対応する前記少なくとも１つの電線挿入穴が形成された前記側面に形成され、
前記第３端子部に対応する前記少なくとも１つの電線挿入穴は、
前記上面の長手方向に略直交する２つの側面のうち、前記第３端子部に対応する前記少なくとも２つの電線挿入穴の移動方向に存在するほうの前記側面に形成されていると共に、
前記端子台の前記本体は、
前記上面の長手方向に略直交する一方の前記側面に形成された第１の突起部と、
前記上面の長手方向に略直交する他方の前記側面に形成された第２の突起部と
を備え、
前記照明器具は、
前記第１の突起部を略囲うとともに前記第１の突起部を挿通可能な第１リブと、
前記第２の突起部を略囲うとともに前記第２の突起部を挿通可能な第２リブと、
前記第１リブに挿通させた前記第１の突起部の前記第１リブからの抜けと、前記第２リブに挿通させた前記第２の突起部の前記第２リブからの抜けとを抑止する抜け抑止部と
を備え、
前記端子台の前記第１の突起部を前記照明器具の前記第１リブに挿通すると共に、前記端子台の前記第２の突起部を前記照明器具の前記第２リブに挿通し、前記照明器具の前記抜け係止部によって、前記第１の突起部の前記第１リブからの抜けと、前記第２の突起部の前記第２リブからの抜けとを係止することを特徴とする端子台取付方法。
【符号の説明】
【００７２】
１  本体、１−１ａ  第１の入力用電線挿入穴、１−１ｂ  第１の送り用電線挿入穴、１−２ａ  第２の入力用電線挿入穴、１−２ｂ  第２の送り用電線挿入穴、１−３ａ  第３の入力用電線挿入穴、１−３ｂ  第３の送り用電線挿入穴、１−４ａ  アース入力用電線挿入穴、１−４ｂ  アース送り用電線挿入穴、１−５  第１の器具内配線挿入穴、１−６  第２の器具内配線挿入穴、１−７  第３の器具内配線挿入穴、１−８  突起部、２  台、３  解除ボタン、４  端子、４−１  入力／送り端子板、４−２  入力／送り用押さえバネ、４−２１，４−２２  板バネ部、４−３  器具内配線用の端子板、４−４  器具内配線用の押さえバネ、５−３  接地片、６  照明器具本体、６−１  内枠面、６−２  係止部、６−３  取付け用リブ、６−５  安定器、６−６  点検スイッチ、６−７  ランプホルダーユニット、６−８  表示板、１１，２１，３１  入力用電線、１２，２２，３２  送り用電線、１３，２３，３３  器具内配線、４１  アース入力用電線、４２  アース送り用電線、１００  端子台、１０１  本体、１０２  上面、１０３  長手方向、１１１  第１の側面、１１２  第２の側面、４０１  第１端子装置、４０２  第２端子装置、４０３  第３端子装置、４０４  アース端子装置、６００  照明器具。
【図１】
0005323225.tif 000002
【図２】
0005323225.tif 000003
【図３】
0005323225.tif 000004
【図４】
0005323225.tif 000005
【図５】
0005323225.tif 000006
【図６】
0005323225.tif 000007
【図７】
0005323225.tif 000008
【図８】
0005323225.tif 000009
【図９】
0005323225.tif 000010
【図１０】
0005323225.tif 000011
【図１１】
0005323225.tif 000012
【図１２】
0005323225.tif 000013
【図１３】
0005323225.tif 000014
【図１４】
0005323225.tif 000015
【図１５】
0005323225.tif 000016
【図１６】
0005323225.tif 000017
【図１７】
0005323225.tif 000018
【図１８】
0005323225.tif 000019
【図１９】
0005323225.tif 000020
【図２０】
0005323225.tif 000021
【図２１】
0005323225.tif 000022
【図２２】
0005323225.tif 000023
【図２３】
0005323225.tif 000024
【図２４】
0005323225.tif 000025
【図２５】
0005323225.tif 000026
【図２６】
0005323225.tif 000027